(57)【特許請求の範囲】
【請求項１】
木材の曲型加工過程において曲面度数を調節できる設備であって、正面視で、加工台を含み、
前記加工台の上端には鉛直板が設置され、前記鉛直板の上端にはレール板が固定的に設置され、前記レール板の中には左右対称のスライド道が連通するように設置され、前記スライド道の中には可変レール装置が設置され、前記可変レール装置は前記スライド道の中にスライド可能に連結された挟持アームと、前記挟持アームに設置された調整溝と、前記調整溝の中にスライド可能に連結された固定ピンと、前記固定ピンに回転可能に連結された弾性制限棒とを含み、前記弾性制限棒が前記挟持アームにより左右に移動して折れて前記挟持アームにより上下に移動して刃部分の進入深度を調整することができ、
前記レール板には旋転スイッチがねじ山によって連結され、前記旋転スイッチは前記レール板とねじ山によって連結された昇降棒と、前記昇降棒にスライド可能に連結されたヒンジ繋台と、前記ヒンジ繋台にヒンジで繋がれかつ前記挟持アームとヒンジで繋がれたチェーン棒とを含み、前記チェーン棒が前記挟持アームの左右移動を制御することができ、
前記レール板の左側端面には前記挟持アームの上下移動を制御できる昇降スイッチが設置され、前記鉛直板の前側端面には固定軸が回転可能に連結され、前記固定軸には木材を切断できるカッターが設置され、前記カッターが前記弾性制限棒と当接したボーリングボールと、前記ボーリングボールの下端にスライド可能に連結された揺動アームと、前記揺動アームの下端に設置されたブレードとにより木材を切断することができ、前記鉛直板には前記カッターの往復揺動を駆動できる駆動装置が設置されていることを特徴とする木材の曲型加工過程において曲面度数を調節できる設備。
【請求項２】
前記加工台の下側端面には中心対称の四つの支脚が固定的に設置されていることを特徴とする請求項１に記載の木材の曲型加工過程において曲面度数を調節できる設備。
【請求項３】
前記可変レール装置は前記挟持アームの上側に設置された連結ブロックを含み、前記連結ブロックには前記昇降棒に対し中心対称となったスライドチャンバが設置され、前記連結ブロックのうち前記昇降棒に近接した側の端面には同じ側の前記スライドチャンバとスライド可能に連結された同期棒が設置され、前記連結ブロックの下側と前記レール板の上側との間には圧縮ばねが連結されていることを特徴とする請求項１に記載の木材の曲型加工過程において曲面度数を調節できる設備。
【請求項４】
前記旋転スイッチは前記レール板の下側端面に設置されかつ下方に開口した斜め溝を含み、前記昇降棒の上端にはノブが固定的に設置されていることを特徴とする請求項１に記載の木材の曲型加工過程において曲面度数を調節できる設備。
【請求項５】
前記昇降スイッチは左側の前記連結ブロックに固定的に連結されたスライドレールを含み、前記スライドレールにはスライド棒がスライド可能に連結され、前記レール板の左側端面には直角支持棒が設置され、前記直角支持棒の上端には回転桶が回転可能に連結され、前記回転桶には前記スライド棒と当接した環状溝が設置され、前記回転桶の上側端面には目盛り盤がスライド可能に連結され、前記回転桶の上端には前記目盛り盤の内円に位置した駆動軸が設置され、前記駆動軸の上端には起動転輪が設置されていることを特徴とする請求項４に記載の木材の曲型加工過程において曲面度数を調節できる設備。
【請求項６】
前記カッターは前記固定軸に設置されかつ前記揺動アームとスライド可能に連結された案内キーを含み、前記揺動アームの中には後方に開口したスライドチャンバが設置され、前記固定軸には前記スライドチャンバの中に位置しかつ前記スライドチャンバとスライド可能に連結されたスライドブロックが設置され、前記スライドブロックの下側と前記スライドチャンバの下端内壁との間には引張ばねが連結され、前記固定軸には前記案内キーの後端に位置した歯車が設置されていることを特徴とする請求項１に記載の木材の曲型加工過程において曲面度数を調節できる設備。
【請求項７】
前記駆動装置は前記鉛直板の前側端面に回転可能に連結されかつ前記固定軸の上端に位置した中心軸を含み、前記中心軸には回転棒が設置され、前記回転棒の下端には前記歯車と噛み合うように連結された扇形歯車が設置され、前記回転棒の上端には前後に連通した通し溝が設置され、前記鉛直板の前側端面の中には前記中心軸の上端に位置したモータが植設され、前記モータの前側には伝動軸が伝動可能に連結され、前記伝動軸には回転盤が設置され、前記回転盤には前記通し溝とスライド可能に連結された回し棒が設置されていることを特徴とする請求項６に記載の木材の曲型加工過程において曲面度数を調節できる設備。
【発明の詳細な説明】
【技術分野】
【０００１】
本発明は木材加工技術分野に関し、具体的には木材の曲型加工において曲面度数を調節できる設備に関する。
【背景技術】
【０００２】
木質の家宅装飾が現代性を具備する内装の主流となっており、木材は金属類板材より強い可塑性を有するため、加工難度が低く、更に値段もより安くなる。伝統的な木材加工はほとんどが鉋掛け、フライス削り、穴あけ、砂まき等で行い、平面を加工する時、水平目盛りによりカッターを動かせばいい。しかし、曲面を加工する時、木材加工技術に制限されて曲型の角度を選択する余地が限られており、特殊の家具の木材の角度の要求に満たせず、曲型木材の適用度が低くなる。しかも大工が手動で切削するには熟した技術が必要であるので、量化すると加工コストが高く、効率も低くなる。本願発明は上記の問題を解決できる。
【先行技術文献】
【特許文献】
【０００３】
【特許文献１】中国特許出願公開第108908529号明細書
【発明の概要】
【発明が解決しようとする課題】
【０００４】
木材加工技術における制限により曲型角度が限られており、特殊な家具の木材角度需要に満たせなく、手動で加工するには熟した技術が求められ、量化生産を実現しかねる。
【課題を解決するための手段】
【０００５】
本発明は以下の技術プランを提供する：本発明である木材の曲型加工過程において曲面度数を調節できる設備は、加工台を含み、前記加工台の上端には鉛直板が設置され、前記鉛直板の上端にはレール板が固定的に設置され、前記レール板の中には左右対称のスライド道が連通するように設置され、前記スライド道の中には可変レール装置が設置され、前記可変レール装置は前記スライド道の中にスライド可能に連結された挟持アームと、前記挟持アームに設置された調整溝と、前記調整溝の中にスライド可能に連結された固定ピンと、前記固定ピンに回転可能に連結された弾性制限棒とを含み、前記弾性制限棒が前記挟持アームにより左右に移動して折れて前記挟持アームにより上下に移動して刃部分の進入深度を調整することができ、前記レール板には旋転スイッチがねじ山によって連結され、前記旋転スイッチは前記レール板とねじ山によって連結された昇降棒と、前記昇降棒にスライド可能に連結されたヒンジ繋台と、前記ヒンジ繋台にヒンジで繋がれかつ前記挟持アームとヒンジで繋がれたチェーン棒とを含み、前記チェーン棒が前記挟持アームの左右移動を制御することができ、前記レール板の左側端面には前記挟持アームの上下移動を制御できる昇降スイッチが設置され、前記鉛直板の前側端面には固定軸が回転可能に連結され、前記固定軸には木材を切断できるカッターが設置され、前記カッターが前記弾性制限棒と当接したボーリングボールと、前記ボーリングボールの下端にスライド可能に連結された揺動アームと、前記揺動アームの下端に設置されたブレードとにより木材を切断することができ、前記鉛直板には前記カッターの往復揺動を駆動できる駆動装置が設置されている。
【０００６】
前述した技術プランの上で、前記加工台の下側端面には中心対称の四つの支脚が固定的に設置されている。
【０００７】
前述した技術プランの上で、前記可変レール装置は前記挟持アームの上側に設置された連結ブロックを含み、前記連結ブロックには前記昇降棒に対し中心対称となったスライドチャンバが設置され、前記連結ブロックのうち前記昇降棒に近接した側の端面には同じ側の前記スライドチャンバとスライド可能に連結された同期棒が設置され、前記連結ブロックの下側と前記レール板の上側との間には圧縮ばねが連結されている。
【０００８】
前述した技術プランの上で、前記旋転スイッチは前記レール板の下側端面に設置されかつ下方に開口した斜め溝を含み、前記昇降棒の上端にはノブが固定的に設置されている。
【０００９】
前述した技術プランの上で、前記昇降スイッチは左側の前記連結ブロックに固定的に連結されたスライドレールを含み、前記スライドレールにはスライド棒がスライド可能に連結され、前記レール板の左側端面には直角支持棒が設置され、前記直角支持棒の上端には回転桶が回転可能に連結され、前記回転桶には前記スライド棒と当接した環状溝が設置され、前記回転桶の上側端面には目盛り盤がスライド可能に連結され、前記回転桶の上端には前記目盛り盤の内円に位置した駆動軸が設置され、前記駆動軸の上端には起動転輪が設置されている。
【００１０】
前述した技術プランの上で、前記カッターは前記固定軸に設置されかつ前記揺動アームとスライド可能に連結された案内キーを含み、前記揺動アームの中には後方に開口したスライドチャンバが設置され、前記固定軸には前記スライドチャンバの中に位置しかつ前記スライドチャンバとスライド可能に連結されたスライドブロックが設置され、前記スライドブロックの下側と前記スライドチャンバの下端内壁との間には引張ばねが連結され、前記固定軸には前記案内キーの後端に位置した歯車が設置されている。
【００１１】
前述した技術プランの上で、前記駆動装置は前記鉛直板の前側端面に回転可能に連結されかつ前記固定軸の上端に位置した中心軸を含み、前記中心軸には回転棒が設置され、前記回転棒の下端には前記歯車と噛み合うように連結された扇形歯車が設置され、前記回転棒の上端には前後に連通した通し溝が設置され、前記鉛直板の前側端面の中には前記中心軸の上端に位置したモータが植設され、前記モータの前側には伝動軸が伝動可能に連結され、前記伝動軸には回転盤が設置され、前記回転盤には前記通し溝とスライド可能に連結された回し棒が設置されている。
【発明の効果】
【００１２】
本発明の有益効果は：本発明はブレード切断の旋転の反方向上の制限を利用し、ブレードと連結された揺動アームは調整可能な制限板に案内され、制限板の曲がった曲面にしたがって旋転し、非常規の角度の曲型溝の加工を実現し、昇降によりカッターを調整し、木材表面の曲型溝の刃部分の進入深さを管理し、浅いから深いまでカッターを保護し、かつ正反回転により上下に往復に移動させ、波状の曲型溝を加工し、設備の加工能力を上げ、上記の二つの曲がり角度と進入深度はいずれも目盛りの示度により具体的な変化を確認でき、加工をより精確にすることができる。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の木材の曲型加工において曲面度数を調節できる設備の全体構成概略図
【図２】図２は図１の「Ａ―Ａ」方向の構成概略図
【図３】図３は図２の「Ｂ―Ｂ」方向の構成概略図
【図４】図４は図１の「Ｃ」拡大構成概略図
【図５】図５は図１の「Ｄ―Ｄ」方向の構成概略図
【図６】図６は図１の「Ｅ―Ｅ」方向の構成概略図
【発明を実施するための形態】
【００１５】
本発明は木材の曲型加工において曲面度数を調節できる設備に関し、主に木材の曲面切断過程に応用され、下記に本願付図を合わせて本願発明についてさらなる説明を行う。
【００１６】
本願発明の木材の曲型加工において曲面度数を調節できる設備は、加工台１１を含み、前記加工台１１の上端には鉛直板２９が設置され、前記鉛直板２９の上端にはレール板２７が固定的に設置され、前記レール板２７の中には左右対称のスライド道２８が連通するように設置され、前記スライド道２８の中には可変レール装置９０１が設置され、前記可変レール装置９０１は前記スライド道２８の中にスライド可能に連結された挟持アーム２５と、前記挟持アーム２５に設置された調整溝３５と、前記調整溝３５の中にスライド可能に連結された固定ピン３４と、前記固定ピン３４に回転可能に連結された弾性制限棒３３とを含み、前記弾性制限棒３３が前記挟持アーム２５により左右に移動して折れて前記挟持アーム２５により上下に移動して刃部分の進入深度を調整することができ、前記レール板２７には旋転スイッチ９０２がねじ山によって連結され、前記旋転スイッチ９０２は前記レール板２７とねじ山によって連結された昇降棒２３と、前記昇降棒２３にスライド可能に連結されたヒンジ繋台３１と、前記ヒンジ繋台３１にヒンジで繋がれかつ前記挟持アーム２５とヒンジで繋がれたチェーン棒３２とを含み、前記チェーン棒３２が前記挟持アーム２５の左右移動を制御することができ、前記レール板２７の左側端面には前記挟持アーム２５の上下移動を制御できる昇降スイッチ９０３が設置され、前記鉛直板２９の前側端面には固定軸１６が回転可能に連結され、前記固定軸１６には木材を切断できるカッター９０４が設置され、前記カッター９０４が前記弾性制限棒３３と当接したボーリングボール１９と、前記ボーリングボール１９の下端にスライド可能に連結された揺動アーム１８と、前記揺動アーム１８の下端に設置されたブレード１２とにより木材を切断することができ、前記鉛直板２９には前記カッター９０４の往復揺動を駆動できる駆動装置９０５が設置されている。
【００１７】
有益的には、前記加工台１１の下側端面には中心対称の四つの支脚３６が固定的に設置されていることで、高さを上げて加工時の操作に便利を与える。
【００１８】
下記に可変レール装置９０１を詳しく説明し、前記可変レール装置９０１は前記挟持アーム２５の上側に設置された連結ブロック２６を含み、前記連結ブロック２６には前記昇降棒２３に対し中心対称となったスライドチャンバ２０が設置され、前記連結ブロック２６のうち前記昇降棒２３に近接した側の端面には同じ側の前記スライドチャンバ２０とスライド可能に連結された同期棒２４が設置され、前記連結ブロック２６の下側と前記レール板２７の上側との間には圧縮ばね２１が連結され、前記同期棒２４と前記スライドチャンバ２０とのスライド可能な連結によって前記連結ブロック２６を同期に上下に移動させることができる。
【００１９】
下記に旋転スイッチ９０２を詳しく説明し、前記旋転スイッチ９０２は前記レール板２７の下側端面に設置されかつ下方に開口した斜め溝３０を含み、前記昇降棒２３の上端にはノブ２２が固定的に設置され、前記昇降棒２３の上への移動過程において、前記斜め溝３０の内壁により前記チェーン棒３２の折畳を制限することで、前記挟持アーム２５を左右に移動させる。
【００２０】
下記に昇降スイッチ９０３を詳しく説明し、前記昇降スイッチ９０３は左側の前記連結ブロック２６に固定的に連結されたスライドレール４９を含み、前記スライドレール４９にはスライド棒５０がスライド可能に連結され、前記レール板２７の左側端面には直角支持棒４８が設置され、前記直角支持棒４８の上端には回転桶４６が回転可能に連結され、前記回転桶４６には前記スライド棒５０と当接した環状溝４７が設置され、前記回転桶４６の上側端面には目盛り盤５１がスライド可能に連結され、前記回転桶４６の上端には前記目盛り盤５１の内円に位置した駆動軸５２が設置され、前記駆動軸５２の上端には起動転輪５３が設置され、前記スライド棒５０は前記環状溝４７の螺旋形状により上下に移動し、更に前記起動転輪５３の前記目盛り盤５１における対応示度により刃部分の進入深度を確認する。
【００２１】
下記にカッター９０４について詳しく説明し、前記カッター９０４は前記固定軸１６に設置されかつ前記揺動アーム１８とスライド可能に連結された案内キー１３を含み、前記揺動アーム１８の中には後方に開口したスライドチャンバ１７が設置され、前記固定軸１６には前記スライドチャンバ１７の中に位置しかつ前記スライドチャンバ１７とスライド可能に連結されたスライドブロック１５が設置され、前記スライドブロック１５の下側と前記スライドチャンバ１７の下端内壁との間には引張ばね１４が連結され、前記固定軸１６には前記案内キー１３の後端に位置した歯車４２が設置され、前記揺動アーム１８は前記案内キー１３によって回転し、更に前記スライドブロック１５と前記スライドチャンバ１７のスライドによって位置を調整することができる。
【００２２】
下記に駆動装置９０５を詳しく説明し、前記駆動装置９０５は前記鉛直板２９の前側端面に回転可能に連結されかつ前記固定軸１６の上端に位置した中心軸４０を含み、前記中心軸４０には回転棒４５が設置され、前記回転棒４５の下端には前記歯車４２と噛み合うように連結された扇形歯車４１が設置され、前記回転棒４５の上端には前後に連通した通し溝４３が設置され、前記鉛直板２９の前側端面の中には前記中心軸４０の上端に位置したモータ３９が植設され、前記モータ３９の前側には伝動軸３８が伝動可能に連結され、前記伝動軸３８には回転盤３７が設置され、前記回転盤３７には前記通し溝４３とスライド可能に連結された回し棒４４が設置されている。
【００２３】
下記に図１〜６をあわせて本願発明の木材の曲型加工において曲面度数を調節できる設備の使用方法を詳しく説明する：
【００２４】
作動する時、木材を加工台１１の上側端面に置き、加工の曲面によりノブ２２を回し、昇降棒２３とレール板２７とのねじ山による回転によってヒンジ繋台３１を上に移動させ、更に斜め溝３０のヒンジ繋台３１への制限により、チェーン棒３２を内部に翻転させ、更に挟持アーム２５を引き動かして昇降棒２３に近接した側にスライドさせ、この時、調整溝３５の上端壁が固定ピン３４のスライドを制限しており、両側が同期に内部に弾性制限棒３３を押圧することで、弾性制限棒３３を平面から凹形曲面になさせ、更にノブ２２の旋転した回数を弾性制限棒３３の弧度を確認し、前記弧度が加工曲面の弧度であり、起動転輪５３を回して駆動軸５２により回転桶４６を回転させ、スライドレール４９がスライド棒５０と環状溝４７との当接により下降し、更に連結ブロック２６により挟持アーム２５を下降させ、更に弾性制限棒３３とボーリングボール１９とをスライド可能に連結させ、モータ３９を起動して伝動軸３８により回転盤３７を回転させ、回し棒４４を通し溝４３の中でスライドさせ、回転棒４５を回して中心軸４０に沿って旋転させることで、扇形歯車４１と歯車４２との噛合により回転し、更に固定軸１６を周期的に正反旋転させ、固定軸１６が案内キー１３により揺動アーム１８を揺動させ、カッター１２により木材の表面を切削し、加工する溝の深さが予期値に達するまで起動転輪５３の目盛り盤５１における示度により起動転輪５３を回転させ、又は起動転輪５３を正反回転させることで、波状の区政面溝加工を実現することができる。
【００２５】
本発明の有益効果は：本発明はブレード切断の旋転の反方向上の制限を利用し、ブレードと連結された揺動アームは調整可能な制限板に案内され、制限板の曲がった曲面にしたがって旋転し、非常規の角度の曲型溝の加工を実現し、昇降によりカッターを調整し、木材表面の曲型溝の刃部分の進入深さを管理し、浅いから深いまでカッターを保護し、かつ正反回転により上下に往復に移動させ、波状の曲型溝を加工し、設備の加工能力を上げ、上記の二つの曲がり角度と進入深度はいずれも目盛りの示度により具体的な変化を確認でき、加工をより精確にすることができる。
【００２６】
上記方式により、当分野の技術者は本発明の範囲内に作動パターンにより各種な変化を実現できる。
【要約】      （修正有）【課題】本発明は木材の曲型加工過程において曲面度数を調節できる設備を提供する。【解決手段】加工台１１を含み、加工台１１の上端には鉛直板２９が設置され、鉛直板２９の上端にはレール板２７が固定的に設置され、レール板２７の中には左右対称のスライド道２８が連通するように設置され、スライド道２８の中には可変レール装置９０１が設置され、可変レール装置９０１はスライド道２８の中にスライド可能に連結された挟持アーム２５と、挟持アーム２５に設置された調整溝３５と、調整溝３５の中にスライド可能に連結された固定ピン３４と、固定ピン３４に回転可能に連結された弾性制限棒３３とを含み、弾性制限棒３３が挟持アーム２５により左右に移動して折れて挟持アーム２５により上下に移動して刃部分の進入深度を調整することができる。【選択図】図１【図１】
0006784877.tif 000002
【図２】
0006784877.tif 000003
【図３】
0006784877.tif 000004
【図４】
0006784877.tif 000005
【図５】
0006784877.tif 000006
【図６】
0006784877.tif 000007